(57)【要約】【課題】積み重ねた際に上下のボトルが相対的に回転するのを防止して、積み重ね時の安定性を高められるボトルを提供する。【解決手段】ボトル１０は口部１１、肩部１２、胴部１３および底部１４を備える。口部は、ボトル軸Ｏ方向から見て非円形状に形成されたネックリング１５を備える。底部は、上方に向けて窪む収容部１９を備える。収容部には、当該ボトルとは異なる他のボトルのネックリングが収容され、ネックリングの外周縁における最大半径は、収容部の囲繞部における内周面の最小半径よりも大きい。【選択図】図１
2017178329.tif 000002
【特許請求の範囲】
【請求項１】
口部、肩部、胴部および底部が上方から下方に向けてこの順に連設され、前記口部にキャップが装着されたボトルであって、
前記口部には、径方向の外側に向けて突出し、ボトル軸方向から見て非円形状のネックリングが形成され、
前記底部の底壁部は、上方に向けて窪み、かつ当該ボトルとは異なる他のボトルの前記口部が内部に収容される収容部を備え、
前記ネックリングの外周縁における前記ボトル軸からの最大半径は、前記収容部を画する壁部のうち、前記他のボトルの前記ネックリングを囲繞する囲繞部の内周面における前記ボトル軸からの最小半径よりも大きいことを特徴とするボトル。
【請求項２】
前記囲繞部の内周面における前記ボトル軸からの最大半径は、前記ネックリングの外周縁における前記ボトル軸からの最大半径よりも大きく、
前記囲繞部の内周面における前記ボトル軸からの最小半径は、前記ネックリングの外周縁における前記ボトル軸からの最小半径よりも大きいことを特徴とする請求項１に記載のボトル。
【請求項３】
前記収容部の前記囲繞部の内周面のうち前記ボトル軸からの半径が最大になる部分と、前記ネックリングの外周縁のうち前記ボトル軸からの半径が最大になる部分と、の周方向における各位置は互いに略同じであり、
前記収容部の前記囲繞部の内周面のうち前記ボトル軸からの半径が最小になる部分と、前記ネックリングの外周縁のうち前記ボトル軸からの半径が最小になる部分と、の周方向における各位置は互いに略同じであることを特徴とする請求項１または２に記載のボトル。
【請求項４】
前記ネックリングおよび前記囲繞部は、前記ボトル軸方向から見て角形状に形成されていることを特徴とする請求項１から３のいずれか１項に記載のボトル。
【請求項５】
前記ネックリングおよび前記囲繞部は、前記ボトル軸方向から見て互いに略同形状に形成されていることを特徴とする請求項１から４のいずれか１項に記載のボトル。
【発明の詳細な説明】
【技術分野】
【０００１】
本発明は、積み重ね可能なボトルに関するものである。
【背景技術】
【０００２】
この種のボトルとして、例えば下記特許文献１に記載の構成が知られている。
【先行技術文献】
【特許文献】
【０００３】
【特許文献１】特開２０１４−１９３７３７号公報
【発明の概要】
【発明が解決しようとする課題】
【０００４】
しかしながら、前記従来のボトルでは、積み重ねた際に上下のボトルが相対的に回転するおそれがあり、積み重ね時の安定性を高めることについて改善の余地がある。
【０００５】
本発明はこのような事情を考慮してなされたもので、積み重ねた際に上下のボトルが相対的に回転するのを防止して、積み重ね時の安定性を高められるボトルを提供することを目的とする。
【課題を解決するための手段】
【０００６】
上記課題を解決するために、本発明の積み重ね可能なボトルは、口部、肩部、胴部および底部が上方から下方に向けてこの順に連設され、前記口部にキャップが装着されたボトルであって、前記口部には、径方向の外側に向けて突出し、ボトル軸方向から見て非円形状のネックリングが形成され、前記底部の底壁部は、上方に向けて窪み、かつ当該ボトルとは異なる他のボトルの前記口部が内部に収容される収容部を備え、前記ネックリングの外周縁における前記ボトル軸からの最大半径は、前記収容部を画する壁部のうち、前記他のボトルの前記ネックリングを囲繞する囲繞部の内周面における前記ボトル軸からの最小半径よりも大きいことを特徴とする。
【０００７】
本発明のボトルによれば、ネックリングの外周縁における最大半径が、囲繞部の内周面における最小半径よりも大きいため、当該ボトルの収容部内に他のボトルの口部が収容された状態でこれら２つのボトルをボトル軸回りに相対的に回転させると、当該ボトルの収容部における囲繞部の内周面と他のボトルのネックリングにおける外周縁とが当接して、これらのボトルの相対的な回転が規制される。これにより、ボトルを積み重ねた際に上下のボトルが相対的に回転するのを防止して、積み重ね時の安定性を高めることができる。
【０００８】
ここで、前記囲繞部の内周面における前記ボトル軸からの最大半径は、前記ネックリングの外周縁における前記ボトル軸からの最大半径よりも大きく、前記囲繞部の内周面における前記ボトル軸からの最小半径は、前記ネックリングの外周縁における前記ボトル軸からの最小半径よりも大きくてもよい。
【０００９】
この場合、２つのボトルのボトル軸回りの最大半径および最小半径の両方において、囲繞部の内周面がネックリングの外周縁よりも大きいため、当該ボトルの収容部に他のボトルの口部を容易に収容させることが可能となり、これらのボトルの積み重ね時の着脱性が向上する。
さらに、先述の通り、ネックリングの外周縁における最大半径が、囲繞部の内周面における最小半径よりも大きいため、他のボトルに対して当該ボトルを積み重ねると、これら２つのボトルのボトル軸回りにおける向きがある程度一致し、積み重ね時の着脱性およびボトルの向きの合わせやすさを両立したボトルを提供することができる。
【００１０】
また、前記囲繞部の内周面のうち前記ボトル軸からの半径が最大になる部分と、前記ネックリングの外周縁のうち前記ボトル軸からの半径が最大になる部分と、の周方向における各位置は互いに略同じであり、前記囲繞部の内周面のうち前記ボトル軸からの半径が最小になる部分と、前記ネックリングの外周縁のうち前記ボトル軸からの半径が最小になる部分と、の周方向における各位置は互いに略同じであってもよい。
【００１１】
この場合、当該ボトルの収容部に他のボトルのネックリングを収容させると、当該ボトルの囲繞部の内周面のうち半径が最大になる部分が、他のボトルのネックリングにおける外周縁のうち半径が最大になる部分とボトル径方向に対向するとともに、当該ボトルの囲繞部の内周面のうち半径が最小になる部分が、他のボトルのネックリングにおける外周縁のうち半径が最小になる部分とボトル径方向に対向するため、これらのボトルの周方向における向きを互いに一致させやすく、例えばこれらのボトルを積み重ねて陳列した際の外観を良好にすることができる。
【００１２】
また、前記ネックリングおよび前記囲繞部は、前記ボトル軸方向から見て角形状に形成されていてもよい。
【００１３】
この場合、他のボトルにおけるネックリングの角部の位置と、当該ボトルにおける囲繞部の角部の位置と、を互いに合わせることで、２つのボトルが相対的に周方向に回転するのをより確実に規制することができる。
【００１４】
また、前記ネックリングおよび前記囲繞部は、前記ボトル軸方向から見て互いに略同形状に形成されていてもよい。
【００１５】
この場合、ボトル軸方向から見て、他のボトルのネックリングと当該ボトルの囲繞部との間には、周方向の全周にわたって略一定の間隔の隙間が形成されるとともに、これら２つのボトルの相対的な周方向の回転が、この隙間の大きさの範囲内で規制されるため、例えばこの２つのボトルの相対的な周方向の回転を小さくすることができる。
【発明の効果】
【００１６】
本発明によれば、積み重ねた際に上下のボトルが相対的に回転するのを防止して、積み重ね時の安定性を高められるボトルを提供することができる。
【図面の簡単な説明】
【００１７】
【図１】本発明の一実施形態に係るボトルの側面図であって、底部を含む一部分を縦断面図視した図である。
【図２】図１に示すボトルの上面図である。
【図３】図１に示すボトルの下面図である。
【図４】図１に示すボトルを積み重ねた状態を示す縦断面図であって、下側のボトルを側面視した図である。
【発明を実施するための形態】
【００１８】
以下、本実施形態に係る積み重ね可能なボトルの構成を、図を参照しながら説明する。
図１に示すように、ボトル１０は、口部１１、肩部１２、胴部１３および底部１４を備え、これらがそれぞれの中心軸線を共通軸上に位置した状態でこの順に連設された概略構成とされている。一例として、ボトル１０は、射出成形により有底筒状に形成された合成樹脂材料からなるプリフォームが、ブロー成形されることで形成されている。
【００１９】
以下、上述した共通軸をボトル軸Ｏといい、ボトル軸Ｏ方向に沿って口部１１側を上側、底部１４側を下側という。また、ボトル１０をボトル軸Ｏ方向から見た平面視において、ボトル軸Ｏに直交する方向をボトル径方向といい、ボトル軸Ｏ回りに周回する方向をボトル周方向という。
なお、ボトル１０はいわゆる角形ボトルである。ボトル１０をボトル軸Ｏ方向の上方から見た上面視において、口部１１は円形状であり、肩部１２および胴部１３は角部が面取りされた正方形状とされている。また図３に示すように、ボトル１０をボトル軸Ｏ方向の下方から見た下面視において、底部１４は角部が面取りされた正方形状とされている。
【００２０】
（胴部）
図１に示すように、胴部１３は、ボトル軸Ｏ方向に沿って延びる筒状に形成されている。胴部１３において、上端部１３ａと下端部１３ｂとの間に位置する中央部１３ｃは、上端部１３ａおよび下端部１３ｂよりも小径である。胴部１３の中央部１３ｃには、ラベルを装着することができる。
【００２１】
胴部１３の中央部１３ｃには、ボトル周方向に全周にわたって連続して延びる中央環状凹溝が形成されている。胴部１３の下端部１３ｂには、ボトル周方向に全周にわたって連続して延びる下環状凹溝が形成されている。
【００２２】
（底部）
図１に示すように、底部１４は、有底筒状に形成されている。底部１４は、胴部１３の下端開口部から下方に向けて延びるヒール部１６と、ヒール部１６の下端開口部を閉塞する底壁部１７と、を備えている。
ヒール部１６は下方に向かうに従い漸次縮径している。ヒール部１６の下端部は、底壁部１７の外周縁部に接続されている。
【００２３】
底壁部１７は、外周縁部に位置する接地部１８と、接地部１８よりボトル径方向の内側に配置され、かつ上方へ向けて窪む収容部１９と、を備えている。
接地部１８は、ボトル周方向の全周にわたって延びている。接地部１８は、ボトル軸Ｏに直交する水平面に沿って延びている。
【００２４】
収容部１９は、接地部１８のボトル径方向における内側に位置している。収容部１９は、下側陥没部２０と、上側陥没部２１と、下側陥没部２０と上側陥没部２１とを接続する接続部２７および囲繞部２４と、を備えている。囲繞部２４は、接続部２７よりも下方に位置している。本実施形態においては、ボトルを積み重ねた際に、囲繞部２４が、後述する他のボトルのネックリング１５を囲繞する。
下側陥没部２０は、上側陥没部２１よりもボトル径方向における外側に位置し、上側陥没部２１よりもボトル軸Ｏ方向に小さい（浅い）。下側陥没部２０は、ヒール部１６の上端縁よりも下方に位置している。
【００２５】
上側陥没部２１は、下側陥没部２０から上方に向けて窪んでいる。上側陥没部２１は、ボトル軸Ｏと同軸に配置された有頂筒状に形成され、天壁部２２と、筒体部２３と、を備えている。
天壁部２２は、平板状に形成され、水平面に沿って延びている。筒体部２３は、天壁部２２の外周縁部から下方に向けて延びている。筒体部２３の内径は、後述するキャップ４６の外径よりも大きい。
【００２６】
接続部２７は、上側陥没部２１の下端開口縁２１ａから下方に向けて延びている。囲繞部２４は、接続部の下端開口縁からさらに下方に向けて延びている。接続部２７および囲繞部２４は、図１および図３に示すように、下方に向かうに従い漸次拡径するとともに下面視において角部が面取りされた正方形状に形成されている。なお、接続部２７および囲繞部２４の形状は、下面視において、面取りされた正方形状に限られず、円形状以外の様々な形状（非円形状）を採用することができる。非円形状の例としては、長円形状、楕円形状、角形状、凸部を有する円形状などが挙げられる。
【００２７】
収容部１９の囲繞部２４は、図３に示すように、下面視において面取りされた角部に相当する囲繞角部２４ｂと、正方形状の辺に相当する囲繞辺部２４ｃと、を有する。
囲繞角部２４ｂは、囲繞部２４のうちボトル軸Ｏからの半径が最大になる部分であり、その内周面の半径はＲ１である。
囲繞辺部２４ｃは、囲繞部２４のうちボトル軸Ｏからの半径が最小になる部分であり、その内周面の半径はＲ２である。
【００２８】
図３に示すように、下面視において、下側陥没部２０は角部が面取りされた正方形状に形成されている。図１および図３に示すように、下側陥没部２０は、傾斜壁部２５と、立ち上がり壁部２６と、を備えている。
傾斜壁部２５は、囲繞部２４の下端開口縁２４ａからボトル径方向の外側に向けて延びている。立ち上がり壁部２６は、傾斜壁部２５の外周縁から下方に向けて延び、その下端部は接地部１８の内周縁に連なっている。立ち上がり壁部２６は、下方から上方に向かうに従い漸次縮径している。
【００２９】
（肩部）
図１に示すように、肩部１２は、胴部１３の上端部１３ａに連結されている。肩部１２は、胴部１３の上端部１３ａからボトル径方向の内側に向けて延びる載置部１２ｂと、載置部１２ｂの内周縁から上方に向けて延びる首部１２ａと、を有する。
図２に示すように、載置部１２ｂはボトル軸Ｏ方向から視た上面視において、角部が面取りされた正方形状に形成されている。
【００３０】
（口部）
図１に示すように、口部１１は、肩部１２の内周縁部から上方に向けて延びている。口部１１には、この口部１１の下端部からボトル径方向の外側に向けて突出し、ボトル周方向の全周にわたって延びるネックリング１５が形成されている。口部１１においてネックリング１５よりも上側に位置する部分には、不図示の雄ねじが形成されている。
【００３１】
口部１１には、外周面がボトル軸Ｏ方向に沿って延びるキャップ４６が装着されている。キャップ４６は、有頂筒状に形成されている。キャップ４６の内周面には、前記雄ねじに対応する不図示の雌ねじが形成されている。キャップ４６は、口部１１に螺着されている。キャップ４６の直径は、上側陥没部２１の筒体部２３における内径よりも小さい。キャップ４６の頂壁部は、水平面に沿って延びている。
【００３２】
ネックリング１５は、図２に示すように、上面視において角部が面取りされた正方形状に形成されている。ネックリング１５の外周縁は、上面視において面取りされた角部に相当する外周角部１５ａと、正方形状の辺に相当する外周辺部１５ｂと、を有する。
外周角部１５ａは、ネックリング１５の外周縁のうちボトル軸Ｏからの半径が最大になる部分であり、その半径はＲ１である。
外周辺部１５ｂは、ネックリング１５の外周縁のうちボトル軸Ｏからの半径が最小になる部分であり、その半径はＲ２である。なお、ネックリング１５の外周縁における最小半径Ｒ２は、キャップ４６の外周面における半径よりも大きい。
このとき、ネックリング１５と囲繞部２４との間で、以下の数式（１）〜（３）に示す関係が成立している。
Ｒ１＞ｒ１  …（１）
Ｒ２＞ｒ２  …（２）
ｒ１＞Ｒ２  …（３）
【００３３】
なお、ネックリング１５の形状は、上面視において面取りされた正方形状に限られず、囲繞部２４との間で上記数式（１）〜（３）を満たす前記非円形状を採用することができる。
【００３４】
図４に示すように、ボトル１０は、ボトル軸Ｏ方向に積み重ね可能である。ボトル１０Ａ（当該ボトル）は、ボトル１０Ｂ（当該ボトルとは異なる他のボトル）上に積み重ねられている。上側のボトル１０Ａにおける収容部１９の内部には、下側のボトル１０Ｂのキャップ４６、口部１１、および肩部１２が収容される。このとき本実施形態では、囲繞部２４のボトル径方向における内側にネックリング１５が配設され、囲繞部２４の内周面とネックリング１５の外周縁とがボトル径方向で互いに対向する。
なお、ボトル１０Ａの収容部１９における天壁部２２の下面には、ボトル１０Ｂのキャップ４６における頂面が当接し、ボトル１０Ａの接地部１８は、ボトル１０Ｂの載置部１２ｂ上に載置されている。これにより、ボトル１０Ａの荷重はボトル１０Ｂに支えられる。
なお、ボトル１０Ｂの肩部１２は、ボトル１０Ａの収容部１９内に収容されていなくてもよい。
【００３５】
図３に示す２点鎖線は、図４に示すように当該ボトル１０Ａの収容部１９に他のボトル１０Ｂのネックリング１５が収容された状態におけるネックリング１５の外周縁を示す。図３に示すように、ボトル軸Ｏ方向から見て、ネックリング１５の外周縁の形状と、囲繞部２４の形状と、は互いに同等の形状（略同形状）に形成されている。より詳しくは、ネックリング１５の外周縁の形状は、囲繞部２４の形状を縮小した形状となっている。このため、ネックリング１５の外周縁と、囲繞部２４の内周面と、の間にはボトル周方向の全周にわたって略一定の間隔の隙間が形成される。
また、当該ボトル１０Ａの囲繞部２４における囲繞角部２４ｂと、他のボトル１０Ｂのネックリング１５における外周角部１５ａと、のボトル周方向における位置は互いに略同じであり、かつ、当該ボトル１０Ａの囲繞部２４における囲繞辺部２４ｃと、他のボトル１０Ｂのネックリング１５における外周辺部１５ｂと、のボトル周方向における位置は互いに略同じである。そして、当該ボトル１０Ａの囲繞角部２４ｂ、および他のボトル１０Ｂの外周角部１５ａは、ボトル径方向において互いに対向し、当該ボトル１０Ａの囲繞辺部２４ｃ、および他のボトル１０Ｂの外周辺部１５ｂは、ボトル径方向において互いに対向している。
【００３６】
次に、以上のように構成された積み重ね可能なボトルの作用について説明する。
ネックリング１５と囲繞部２４との間で、上記数式（１）および（２）の関係が成立していることから、図４に示すようにボトル１０Ａをボトル１０Ｂの上に積み重ねると、ボトル１０Ａの囲繞部２４とボトル１０Ｂのネックリング１５との間には、ボトル径方向に隙間が形成される。このため、ボトル１０Ａをボトル１０Ｂの上に容易に積み重ねることができるとともに、積み重ねたボトル１０Ａをボトル１０Ｂから容易に取り外すことができる。
また、ネックリング１５と囲繞部２４との間で、上記数式（３）の関係が成立していることから、ボトル１０Ａをボトル１０Ｂの上に積み重ねた状態で、ボトル１０Ａをボトル１０Ｂに対して相対的に回転させようとすると、ボトル１０Ａの囲繞部２４における囲繞辺部２４ｃが、ボトル１０Ｂのネックリング１５における外周角部１５ａに当接する。このため、ボトル１０Ａのボトル１０Ｂに対する相対的な回転が規制される。
【００３７】
また、図３に示すように、本実施形態ではネックリング１５および囲繞部２４と同様に、胴部１３も角部が面取りされた正方形状に形成されている。そして、胴部１３の外周縁のうち正方形状の辺に相当する部分（ボトル辺部１３ｄ）と、ネックリング１５の外周辺部１５ｂと、のボトル周方向における位置は互いに略同じである。また、胴部１３の外周縁のうち正方形状の面取りされた角部に相当する部分（ボトル角部１３ｅ）と、ネックリング１５の外周角部１５ａと、のボトル周方向における位置は互いに略同じである。さらに、ボトル辺部１３ｄのボトル周方向における中央部と、外周辺部１５ｂのボトル周方向における中央部と、のボトル周方向における位置は互いに略同じであり、かつ、ボトル角部１３ｅのボトル周方向における中央部と、外周角部１５ａのボトル周方向における中央部の位置と、のボトル周方向における位置も互いに略同じである。
これにより、ボトル１０Ａをボトル１０Ｂの上に積み重ねた際、ボトル１０Ａのボトル辺部１３ｄと、ボトル１０Ｂのボトル辺部１３ｄと、のボトル周方向における位置は互いに略同じになる。つまり、ボトル１０Ａをボトル１０Ｂの上に積み重ねると、これら２つのボトルのボトル軸Ｏ回りにおける向きが自ずと一致するため、例えばボトル１０を積み重ねた際に、胴部１３に装着されたラベルの向きを一致させて、積載して陳列されたボトル１０の外観を良好にすることができる。
【００３８】
以上説明したように、本実施形態のボトル１０によれば、ネックリング１５の外周縁における最大半径ｒ１が、収容部１９の囲繞部２４における最小半径Ｒ２よりも大きいため、ボトル１０Ａの収容部１９内にボトル１０Ｂのネックリング１５が収容された状態で、これら２つのボトルをボトル軸Ｏ回りに相対的に回転させると、ボトル１０Ａの収容部１９における囲繞部２４とボトル１０Ｂのネックリング１５における外周縁とが当接して、これらのボトルの相対的な回転が規制される。これにより、ボトルを積み重ねた際に上下のボトルが相対的に回転するのを防止して、積み重ねの安定性を高めることができる。
また、ボトル１０Ａのボトル１０Ｂに対するボトル軸Ｏ回りの相対的な回転が規制されるため、ボトル１０Ａの胴部１３に装着したラベルおよびボトル１０Ｂの胴部１３に装着したラベルの正面の向きを互いに一致させて積み重ねた後、これらのボトルの正面の向きがずれるのを防止して外観を良好にすることができる。
【００３９】
また、ボトル軸Ｏ回りの最大半径および最小半径の両方において、収容部１９がネックリング１５よりも大きいため、ボトル１０Ａの収容部１９にボトル１０Ｂのネックリング１５を容易に収容させることが可能となり、これらのボトルの積み重ね時の着脱性が向上する。
さらに、ネックリング１５の外周縁における最大半径ｒ１が、囲繞部２４の内周面における最小半径Ｒ２よりも大きいため、ボトル１０Ｂに対してボトル１０Ａを積み重ねると、これら２つのボトルのボトル軸Ｏ回りにおける向きがある程度一致し、積み重ね時の着脱性およびボトルの向きの合わせやすさを両立したボトルを提供することができる。
【００４０】
また、ボトル１０Ａの収容部１９にボトル１０Ｂのネックリング１５を収容させると、ボトル１０Ａにおける収容部１９の囲繞角部２４ｂが、ボトル１０Ｂにおけるネックリング１５の外周角部１５ａとボトル径方向に対向するとともに、ボトル１０Ａにおける収容部１９の囲繞辺部２４ｃが、ボトル１０Ｂにおけるネックリング１５の外周辺部１５ｂとボトル径方向に対向するため、これらのボトルのボトル周方向における向きを互いに一致させやすく、例えばこれらのボトルを積み重ねて陳列した際の外観を良好にすることができる。
【００４１】
また、ネックリング１５および囲繞部２４は、ボトル軸Ｏ方向から見て互いに略同形状に形成されているため、ボトル１０Ｂのネックリング１５とボトル１０Ａの囲繞部２４との間には、周方向の全周にわたって略一定の間隔の隙間が形成されるとともに、これら２つのボトルの相対的な周方向の回転が、この隙間の大きさの範囲内で規制されるため、例えばこの２つのボトルの相対的な周方向の回転を小さくすることができる。
【００４２】
なお、本発明の技術的範囲は前記実施の形態に限定されるものではなく、本発明の趣旨を逸脱しない範囲において種々の変更を加えることが可能である。
【００４３】
例えば、前記実施形態では、収容部１９における囲繞部２４の形状を縮小した形状の外形を有するネックリング１５を採用したが、これに限られず、囲繞部２４の形状と異なる外形を有するネックリングを採用してもよい。あるいは、囲繞部２４の形状の一部分とネックリング１５の形状の一部分とを互いに同様の形状とし、その他の部分については互いに異なる形状としてもよい。
また、ボトル１０の剛性、減圧吸収量、および取り扱い性の向上などのために、胴部１３に、例えば縦溝、パネル部、若しくはグリップ用凹部などを形成してもよい。
【００４４】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４５】
１０、１０Ａ、１０Ｂ…ボトル、１１…口部、１２…肩部、１３…胴部、１４…底部、１５…ネックリング、１９…収容部、２４…囲繞部
【図１】
2017178329.tif 000003
【図２】
2017178329.tif 000004
【図３】
2017178329.tif 000005
【図４】
2017178329.tif 000006